(57)【要約】【課題】普通乗車券のような短期使用券を非接触券としたとき、出場を拒否したときの非接触券の返却を容易にする。【解決手段】非接触券の一部を挿入して移動できるように設けられたスリット状の有底の投入口と、その投入口の底部の一部に設けられ、開いたときに前記非接触券を非接触式自動改札機の本体内に回収できるようにしたシャッタ機構と、前記投入口に投入された非接触券に記録されているデータを基に出場用の所定の演算処理を行う演算手段と、演算処理の結果、出場を許可できるときに、前記シャッタ機構を開に制御する制御手段とを有する。【選択図】      図１
2004310169.tif 000002
【特許請求の範囲】
【請求項１】
非接触券の一部を挿入して移動できるように設けられたスリット状の有底の投入口と、
前記投入口の底部の一部に設けられ、開いたときに前記非接触券を非接触式自動改札機の本体内に回収できるようにしたシャッタ機構と、
前記投入口に投入された非接触券に記録されているデータを基に出場用の所定の演算処理を行う演算手段と、
演算処理の結果、出場を許可できるときに、前記シャッタ機構を開に制御する制御手段と、
を有することを特徴とする非接触式自動改札機。
【請求項２】
非接触式トークンを投入する投入口と、
前記投入口の底部に設けられ、開いたときに前記非接触式トークンを非接触式自動改札機の本体内に回収できるようにしたシャッタ機構と、
前記投入口に投入された非接触式トークンに記録されているデータを基に出場用の所定の演算処理を行う演算手段と、
演算処理の結果、出場を許可できるときに、前記シャッタ機構を開に制御する制御手段と、
を有することを特徴とする非接触式自動改札機。
【請求項３】
請求項２に記載の非接触式自動改札機において、演算処理の結果、出場を許可できないときに非接触式トークンを投入口の上方へ突出させる突出機構を設けたことを特徴とする非接触式自動改札機。
【請求項４】
請求項１〜３のいずれかに記載の非接触式自動改札機において、演算処理の結果、出場を許可できないときにドアを閉とするとともに、精算処理等の所定の案内を行う案内手段を設けたことを特徴とする自動改札機。
【発明の詳細な説明】
【０００１】
【発明の属する技術分野】
本発明は非接触式自動改札機に係り、特に、出場の際、非接触券又は非接触式トークンの回収又は返却を効率よく行えるようにしたものに関する。
【０００２】
【従来の技術】
近年、定期券やＳＦカード（ストアードフェアカード）を無線通信機能を備えたＩＣカードからなる非接触券とし、この非接触券を自動改札機の本体に設けられたアンテナに軽くタッチして、又はそのアンテナにかざして（以下、タッチで説明する。）入出場（入場又は出場を意味している。）を行う非接触式自動改札機が運用されている。
【０００３】
また、上記非接触券は、ＩＣカードからなるので、磁気券と比べて製造コストが高いので、普通乗車券や一日乗車券のような短期使用券をコイン状を呈した非接触式トークンとし、この非接触式トークンを繰返し使用できるようにすることも提案されている（特許文献１参照。）。
【０００４】
【特許文献１】特開２００３−３３４３６０号公報
【０００５】
【発明が解決しようとする課題】
しかしながら、短期使用券を非接触式トークンとして繰返し使用可能とした場合、出場の際、その非接触式トークンは非接触式自動改札機の本体内に回収されるけれども、その出場の際、投入口に投入された非接触式トークンが無効で出場を許可できないときは、投入された非接触式トークンを利用者（旅客）に返却しなければならない。しかし、この返却には、非接触式自動改札機の本体内にエレベータ機構を設けて非接触式トークンを非接触式自動改札機の本体の筐体上面部まで搬送して返却する必要があり、その返却機構が複雑になる欠点があった。
【０００６】
そこで、本発明は、上記欠点を解決するためになされたものであって、その目的は、短期使用券の非接触券又は非接触式トークンの返却に関する問題を解決することのできる非接触式自動改札機を提供することにある。
【０００７】
【課題を解決するための手段】
本発明に係る非接触式自動改札機は、上記目的を達成するために、請求項１に記載の発明は、非接触券の一部を挿入して移動できるように設けられたスリット状の有底の投入口と、その投入口の底部の一部に設けられ、開いたときに前記非接触券を非接触式自動改札機の本体内に回収できるようにしたシャッタ機構と、前記投入口に投入された非接触券に記録されているデータを基に出場用の所定の演算処理を行う演算手段と、演算処理の結果、出場を許可できるときに、前記シャッタ機構を開に制御する制御手段と、を有することを特徴としている。
本発明に係る非接触式自動改札機は、上記目的を達成するために、請求項２に記載の発明は、非接触式トークンを投入する投入口と、その投入口の底部に設けられ、開いたときに前記非接触式トークンを非接触式自動改札機の本体内に回収できるようにしたシャッタ機構と、前記投入口に投入された非接触式トークンに記録されているデータを基に出場用の所定の演算処理を行う演算手段と、演算処理の結果、出場を許可できるときに、前記シャッタ機構を開に制御する制御手段と、を有することを特徴としている。
本発明の請求項３に記載の非接触式自動改札機は、演算処理の結果、出場を許可できないときに非接触式トークンを投入口の上方へ突出させる突出機構を設けたことを特徴としている。
本発明の請求項４に記載の非接触式自動改札機は、演算処理の結果、出場を許可できないときにドアを閉とするとともに、精算処理等の所定の案内を行う案内手段を設けたことを特徴としている。
【０００８】
【発明の実施の形態】
以下、本発明の実施の形態を図面に基づいて説明する。図１（ａ）は、一実施の形態に係る非接触式自動改札機を非接触券のみを使用する専用型の非接触式自動改札機としたときの斜視図である。この非接触式自動改札機の本体（以下、「改札機本体」という。）Ｇ１  の入口側の筐体Ｈの上面には、非接触券Ｃの一部を挿入してスライドさせることのできる改札通路Ｐの方向と平行に伸びる、スリット状の有底の投入口１ａが設けられている。この投入口１ａについては、後に詳述する。
【０００９】
なお、この図１（ａ）（後述する図３（ａ）に示される改札機本体Ｇ２  も同じ。）に示される改札機本体Ｇ１  は、出場用とされているので、改札機本体Ｇ１  の改札通路Ｐの入口側上面には、非接触券Ｃや非接触式トークン（後述する図３（ａ）参照。）と交信するためのアンテナが設けられていないが、この改札機本体Ｇ１  が入場用にも用いられるときは、そのアンテナも設けられる。また、この改札機本体Ｇ１  が磁気券からなる乗車券も処理できる兼用型のときは、改札機本体Ｇ１  には、乗車券の投入口及び取出口が設けられるとともに、その改札機本体Ｇ１  の内部には、磁気ヘッド等を備えたカードハンドラが組込まれる。
【００１０】
図１（ａ）中、Ｓ，Ｓ…は、改札通路Ｐへの利用者の進入又は改札通路Ｐからの退出、あるいは、通過を検知するための光電式の人間検知器であって、筐体Ｈの側面に所定の間隔を保って設けられている。さらに、この人間検知器は、筐体Ｈの上面の改札通路Ｐと反対側で、その改札通路Ｐの通過方向に沿って設けられたセンサ取付ボックス２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。
【００１１】
筐体Ｈの側面には、利用者に対して音声により所定の案内をアナウンスするためのスピーカ３が取付けられているとともに、その筐体Ｈの側面の改札通路Ｐの出口側及び進入側には、ドアＤ１  ，Ｄ２  がそれぞれ設けられている。また、筐体Ｈの上面のほぼ中央部には、利用者に対して文字により所定の案内を行うための表示画面４が取付けられている。
【００１２】
図１中、５は、改札機本体Ｇ１  の動作を司どる制御器であり、マイクロコンピュータを中心に構成されている。そして、この制御器５には、非接触券Ｃとの間でデータの授受を行うためのアンテナ（後述する図１（ｃ）のａ参照。）を接続したリーダライタ（図示せず）が接続されている。
【００１３】
制御器５は、図示しないがＣＰＵを中心に構成され、そのＣＰＵは、ＲＯＭに記憶されているシステムプログラム及びＲＡＭに記憶されているワーキングデータを用いて演算処理を行って、改札機本体Ｇ１  を統括的に制御できるように構成されている。そして、このＣＰＵには、Ｉ／Ｏユニットを介してドアＤ１  ，Ｄ２  を駆動制御するドア駆動ユニットと、表示画面４の表示内容を駆動制御する表示画面駆動ユニットと、人間検知器Ｓ，Ｓ…、Ｓ′，Ｓ′…の検知信号を入力するための人間検知器ユニット等と、後述するシャッタ１０のソレノイド１２を駆動制御するソレノイドドライバとが接続されている。また、リーダライタには、非接触券Ｃと交信を行うためのアンテナが接続されている。このアンテナは、非接触券Ｃとデータ授受を行う機能と、非接触券Ｃに電力を供給する機能とが備えられている。
【００１４】
非接触券Ｃは、無線通信機能を有するＩＣカードと同様に構成されている。すなわち、この非接触券Ｃには、図示しないが、アンテナと、改札機本体Ｇ１  側と交信するための通信制御部と、その通信制御部とＩ／Ｏユニットを介して接続されているＣＰＵと、システムプログラムデータ、定期券データ、ＳＦカードデータ及びカードＩＤデータ等の所定のカードデータの記録されているメモリと、改札機本体Ｇ１  からの電力波をアンテナを介して受信し、非接触券Ｃの駆動電力を生成する電力生成回路とを有している。
【００１５】
次に、図１（ｂ），（ｃ）を用いて投入口１ａ近辺の詳細について説明する。同図（ｂ）は、スリット状の投入口１ａのそのスリットに沿って断面した断面図、同図（ｃ）は、同図（ｂ）のＡ−Ａ線断面図である。
【００１６】
スリット状の投入口１ａは、その深さが非接触券Ｃの短辺の長さよりも浅く（例えば、その短辺の長さの半分）、その長さは、非接触券Ｃの長辺の長さよりも長く（例えば、その長辺の２倍）に形成された有底のスリット状に形成され、その有底の改札通路Ｐの出口側（図１（ｂ）において左側）の部分は、本発明のシャッタ機構の一部を構成するシャッタ１０により構成されている。このシャッタ１０は、逆Ｌ字状を呈していて、その長辺部分は、支軸１１で改札機本体Ｇ１  の図示しないフレームに回転自在に軸支されている。そして、このシャッタ１０は、ソレノイド１２がばね１３に抗して動作したときに、投入口１ａの底部を開として非接触券Ｃをシュータ１４を介して改札機本体Ｇ１  内に設けられた図示しない回収箱へ回収できるように構成されている。また、図１（ｂ），（ｃ）中、ａは、アンテナであり、スリット状の投入口１ａに位置した非接触券Ｃと交信するためのもので、投入口１ａの近傍に設けられている。
【００１７】
以下、図２のフローチャートを用いて制御動作について説明する。今、非接触券Ｃを所持している利用者が改札機本体Ｇ１  を用いて出場しようとしているものとする。その利用者が所持している非接触券Ｃを改札機本体Ｇ１  の投入口１ａに挿入してスライドさせると（ステップ１００肯定。以下、ステップを「Ｓ」とする。）、非接触券Ｃと改札機本体Ｇ１  との間でデータ授受が行われるとともに、改札機本体Ｇ１  の制御器５では、非接触券Ｃから得たカードデータを基に出場用の所定の演算処理が行われる（Ｓ１０２）。
【００１８】
演算処理の結果、出場を許可できると判定されたときは（Ｓ１０４肯定）、ソレノイド１２が駆動されてシャッタ１０が開かれて非接触券Ｃが図示しない回収箱へ回収され、また、ドアＤ１  が開かれて（改札機本体Ｇ１  がノーマルオープン型のときはそのまま）、利用者の改札通路Ｐの通過が許可される（Ｓ１０６）。
【００１９】
ところで、上述の演算処理の結果、出場を許可できないと判定されたときは（Ｓ１０４否定）、シャッタ１０は閉じたままで、非接触券Ｃは改札機本体Ｇ１  内に受入れられずに利用者の手元に残って非接触券Ｃが利用者へ返却された形となり、また、ドアＤ１  が閉じられ、さらに、スピーカ３及び表示画面４を介して精算処理や係員処理等の所定の案内が行われる（Ｓ１０８）。
【００２０】
図３（ａ）は、本発明の他の実施の形態に係る改札機本体Ｇ２  の斜視図である。この改札機本体Ｇ２  は、上記改札機本体Ｇ１  と同様に出場専用とされているが、この改札機本体Ｇ２  も上記改札機本体Ｇ１  と同様に入場用や磁気券兼用型とすることも可能である。
【００２１】
図３（ａ）中、１ｂは、コイン状を呈した非接触式トークン（以下、「トークン」という。）Ｔを投入するためのスリット状の投入口である。その他の構成要素の符号は、上記図１（ａ）の改札機本体Ｇ１  と同一なので、これら構成要素についての説明は省略する。なお、トークンＴの電気的構成は、上述の非接触券Ｃと同一に構成されている。
【００２２】
図３（ｂ）は、投入口１ｂ近辺の詳細図であって、その投入口１ｂのスリットに沿って断面で示してある。この投入口１ｂは、コイン状のトークンＴが１枚挿入できる形状に開口していて、その挿入深さの所定位置（コンイ状を呈したトークンＴのほぼ直径に等しい位置）に本発明のシャッタ機構の一部を構成するシャッタ２０が設けられている。
【００２３】
このシャッタ２０は、逆Ｌ字状を呈していて、その長辺部分は、支軸２１で改札機本体Ｇ２  の図示しないフレームに回転自在に軸支されている。そして、このシャッタ２０は、ソレノイド２２がばね２３に抗して動作したときに、投入口１ｂの底部を開としてトークンＴをシュータ２４を介して改札機本体Ｇ２  内に設けられた図示しない回収箱へ回収できるように構成されている。また、図１（ｂ），（ｃ）中、ａは、アンテナであり、スリット状の投入口１ａに位置した非接触券Ｃと交信するためのもので、投入口１ａの近傍に設けられている。
【００２４】
図３（ｂ）中、２５ａ，２５ｂは、投入口１ｂの側壁にそれぞれ設けられた開口であり、一方の開口２５ａには、モータＭによって投入口１ｂに投入されたトークンＴを上方へ突出する（持ち上げる）方向へ力を加えるローラＲ１  が位置して設けられている。また、他方の開口２５ｂには、ソレノイド２５が駆動されたときにばね２６に抗して上記ローラＲ１  に当接するように移動される回転自在なローラＲ２  が位置して設けられている。すなわち、このローラＲ２  は、中間部で支軸２７で改札機本体Ｇ２  の図示しないフレームに軸支された逆Ｌ字状の操作杆２８の一方の端部（図３（ｂ）では上方の端部）に設けられ、その他方の端部には、ソレノイド２５が設けられている。
【００２５】
上記ソレノイド２２、モータＭ及びソレノイド２５は、制御器５によって駆動制御され、モータＭ及びソレノイド２５は、投入口１ｂに投入されたトークンＴを利用者へ返却するとき、すなわち、投入口１ｂに投入されたトークンＴでは出場を許可できないときに駆動される。
【００２６】
このトークンＴの返却動作は、シャッタ２０が閉じていて、モータＭがローラＲ１  を矢印方向（反時計方向）へ回転させているとき、ローラＲ２  がトークンＴに当接されると、トークンＴに対して上方へ持ち上げる力が作用し、トークンＴが投入口１ｂから突出され、これによりトークンＴは利用者へ返却される。
【００２７】
上記構成の改札機本体Ｇ２  において、今、トークンＴを所持している利用者が改札機本体Ｇ２  を介して出場しようとしているものとする。その利用者が所持しているトークンＴを改札機本体Ｇ２  の投入口１ｂに投入すると、トークンＴと改札機本体Ｇ２  との間でデータ授受が行われるとともに、改札機本体Ｇ２  の制御器５では、トークンＴから得たトークンデータを基に出場用の所定の演算処理が行われる。
【００２８】
演算処理の結果、出場を許可できると判定されたときは、ソレノイド２２が駆動されてシャッタ２０が開かれてトークンＴが図示しない回収箱へ回収され、また、ドアＤ１  が開かれて（改札機本体Ｇ２  がノーマルオープン型のときはそのまま）、利用者の改札通路Ｐの通過が許可される。
【００２９】
上述の演算処理の結果、出場を許可できないと判定されたときは、シャッタ２０は閉じたままで、トークンＴは改札機本体Ｇ２  内に受入れられることなく、また、ドアＤ１  が閉じられ、さらに、スピーカ３及び表示画面４を介して精算処理や係員処理等の所定の案内が行われる。そして、モータＭ及びソレノイド２５が駆動されてトークンＴが投入口１ｂ上へ突出して利用者へ返却される。
【００３０】
なお、上述の例では、モータＭ、ローラＲ１  ，Ｒ２  及びソレノイド２５の部材を用いて投入口１ｂからトークンＴを突出させて利用者へ返却したが、投入口１ｂの深さをトークンＴの直径の半分程度として、これら部材を省略することができる。しかし、これら部材を用いてトークンＴを突出させて返却するようにしたときは、出場を許可されたトークンＴの持ち去りを防止することができる。
【００３１】
【発明の効果】
本発明の請求項１に記載の非接触式自動改札機は、非接触券の一部を挿入して移動できるように設けられたスリット状の有底の投入口と、その投入口の底部の一部に設けられ、開いたときに前記非接触券を改札機本体内に回収できるようにしたシャッタ機構と、前記投入口に投入された非接触券に記録されているデータを基に出場用の所定の演算処理を行う演算手段と、演算処理の結果、出場を許可できるときに、前記シャッタ機構を開に制御する制御手段とを有するので、出場を拒否されたときの非接触券を容易に利用者へ返却することができる。
本発明の請求項２に記載の非接触式自動改札機は、トークンを投入する投入口と、その投入口の底部に設けられ、開いたときに前記トークンを改札機本体内に回収できるようにしたシャッタ機構と、前記投入口に投入されたトークンに記録されているデータを基に出場用の所定の演算処理を行う演算手段と、演算処理の結果、出場を許可できるときに、前記シャッタ機構を開に制御する制御手段とを有するので、出場を拒否されたときのトークンを容易に利用者へ返却することができる。
本発明の請求項３に記載の非接触式自動改札機は、演算処理の結果、出場を許可できないときにトークンを投入口の上方へ突出させる突出機構を設けたので、出場が許可されたときのトークンの持ち去りを防止することができる。
本発明の請求項４に記載の非接触式自動改札機は、演算処理の結果、出場を許可できないときにドアを閉とするとともに、精算処理等の所定の案内を行う案内手段を設けたので、非接触券又はトークンが返却されたときの案内を効率よく行うことができる。
【図面の簡単な説明】
【図１】（ａ）は、本発明の一実施の形態に係る改札機本体の斜視図、（ｂ）は、投入口近傍の断面図、（ｃ）は、（ｂ）のＡ−Ａ線断面図である。
【図２】制御動作を示すフローチャートである。
【図３】（ａ）は、本発明の他の実施の形態に係る改札機本体の斜視図、（ｂ）は、投入口近傍の断面図である。
【符号の説明】
Ｇ１  ，Ｇ２    非接触式自動改札機の本体（改札機本体）
１ａ，１ｂ  投入口
２  センサ取付ボックス
３  スピーカ
４  表示画面
５  制御器
ａ  アンテナ
Ｄ１  ，Ｄ２    ドア
１０，２０  シャッタ
１２，２２，２５  ソレノイド
Ｍ  モータ
Ｒ１  ，Ｒ２    ローラ
【図１】
2004310169.tif 000003
【図２】
2004310169.tif 000004
【図３】
2004310169.tif 000005